(57)【要約】【課題】来訪者の受付を効率的に行うことができる。【解決手段】来訪予約装置１の予約用識別情報受付部１３４は、来訪予定者用端末４ａから受け付けられたクレジットカード６のカード情報に基づき認証された結果が来訪予定者の正当性を示す場合、来訪予定者用端末４ａから送信された予約用識別情報を受け付ける。そして、カード情報対応型来訪許可指令部１３６は、予約用識別情報受付部１３４により受け付けられた予約用識別情報が予め登録されている予約用識別情報と一致すると、一致した予約用識別情報に対応付けられている来訪予約条件に基づいて、来訪予定者のクレジットカード６を用いた来訪を許可する指令を来訪先の解錠制御装置７に出力する。【選択図】図１
2005149362.tif 000002
【特許請求の範囲】
【請求項１】
予め設定されている来訪予約条件と来訪予定者に予め付与された予約用識別情報との対応付けを格納する来訪予約関連情報記憶部と、
来訪予定者用端末から、来訪予定者の来訪用カードに記憶されているカード情報を受け付けるカード情報受付部と、
上記カード情報受付部により受け付けられたカード情報を来訪予定者認証機関に送信するカード情報送信部と、
上記カード情報の認証結果を上記来訪予定者認証機関から受け付ける認証結果対応処理部と、
上記認証結果対応処理部により受け付けられた認証結果が上記来訪予定者の正当性を示す場合、上記来訪予定者用端末から送信された予約用識別情報を受け付ける予約用識別情報受付部と、
上記予約用識別情報受付部により受け付けられた予約用識別情報と、上記来訪予約関連情報記憶部に格納されている予約用識別情報とを照合する予約用識別情報照合部と、
上記予約用識別情報照合部における照合が一致した場合、照合が一致した予約用識別情報に対応付けられている来訪予約条件に基づいて、上記来訪予定者の上記来訪用カードを用いた来訪を許可する指令を出力するカード情報対応型来訪許可指令部と
を備えていることを特徴とする来訪者受付システム。
【請求項２】
上記カード情報対応型来訪許可指令部により許可された来訪予定者の来訪用カードに記憶されているカード情報と、来訪者の来訪用カードから読み取られたカード情報とを照合するカード情報照合部と、
上記カード情報照合部における照合が一致した場合、上記来訪者の入室を許可する指令を出力するカード情報対応型入室許可指令部とをさらに備えている
ことを特徴とする請求項１記載の来訪者受付システム。
【請求項３】
予め設定されている来訪予約条件と来訪予定者に予め付与された予約用識別情報との対応付けを格納する来訪予約関連情報記憶部と、
来訪予定者用端末から送信された予約用識別情報を受け付ける予約用識別情報受付部と、
上記予約用識別情報受付部により受け付けられた予約用識別情報と、上記来訪予約関連情報記憶部に格納されている予約用識別情報とを照合する予約用識別情報照合部と、
上記予約用識別情報照合部における照合が一致した場合、照合が一致した予約用識別情報に対応付けられている来訪予約条件に基づいて、来訪予定者が来訪の許可を得ていることを証明するための暗証情報を生成する暗証情報生成部と、
上記暗証情報生成部により生成された暗証情報を上記来訪予定者用端末に送信する暗証情報送信部と、
上記暗証情報が記憶されている来訪用カードを用いた来訪を許可する指令を出力する暗証情報対応型来訪許可指令部と
を備えていることを特徴とする来訪者受付システム。
【請求項４】
上記暗証情報対応型来訪許可指令部により来訪が許可された来訪用カードの暗証情報と、来訪者の来訪用カードから読み取られた暗証情報とを照合する暗証情報照合部と、
上記暗証情報照合部における照合が一致した場合、上記来訪者の入室を許可する指令を出力する暗証情報対応型入室許可部とをさらに備えている
ことを特徴とする請求項３記載の来訪者受付システム。
【請求項５】
上記暗証情報は、一回のみの利用が可能になっていることを特徴とする請求項３又は４記載の来訪者受付システム。
【発明の詳細な説明】
【技術分野】
【０００１】
本発明は、来訪者の受け付けを行う来訪者受付システムに関する。
【背景技術】
【０００２】
従来の従業員管理ネットワークシステムにおいては、ある事業所の従業員が他の事業所に出張する際、その従業員のＩＤカードに記憶されている従業員情報が出張先の事業所に設置されている従業員管理システムに予め登録される。そして、出張当日、その従業員が、自己のＩＤカードの従業員情報を出張先に設置されているカード読取装置に読み取らせる。すると、カード読取装置により読み取られた従業員情報が従業員管理システムに予め登録されている従業員情報と一致し、出張先の事業所入口に設置されている入場ゲートが自動で開くようになっている（例えば、特許文献１参照）。
【０００３】
【特許文献１】特開２００２−７３９１９号公報
【発明の開示】
【発明が解決しようとする課題】
【０００４】
しかし、従業員のＩＤカードを利用して入場ゲートを開くようにしているとしても、社外からの来客は、ＩＤカードを持っていないため、結局、訪問先の守衛室等で所定の入場手続きを行っている。
また、同一企業の従業員が自己のＩＤカードを持っていても、ＩＤカードの規格は時と共に変わるため、ＩＤカードの導入時期が事業所間で異なる場合、事業所間のＩＤカードの互換性が低くなる。このため、社内の者であっても、自己のＩＤカードを利用して入場ゲートを通過することができないことがある。
したがって、来訪者の受付を効率的に行わなければならないという課題があった。
【０００５】
本発明は、上述のような課題を解決するためになされたもので、来訪者の受付を効率的に行うことが可能な来訪者受付システムを得るものである。
【課題を解決するための手段】
【０００６】
本発明の来訪者受付システムは、予め設定されている来訪予約条件と来訪予定者に予め付与された予約用識別情報との対応付けを格納する来訪予約関連情報記憶部と、来訪予定者用端末から来訪予定者の来訪用カードに記憶されているカード情報を受け付けるカード情報受付部と、カード情報受付部により受け付けられたカード情報を来訪予定者認証機関に送信するカード情報送信部と、カード情報の認証結果を来訪予定者認証機関から受け付ける認証結果対応処理部と、認証結果対応処理部により受け付けられた認証結果が来訪予定者の正当性を示す場合、来訪予定者用端末から送信された予約用識別情報を受け付ける予約用識別情報受付部と、予約用識別情報受付部により受け付けられた予約用識別情報と来訪予約関連情報記憶部に格納されている予約用識別情報とを照合する予約用識別情報照合部と、予約用識別情報照合部における照合が一致した場合、照合が一致した予約用識別情報に対応付けられている来訪予約条件に基づいて来訪予定者の上記来訪用カードを用いた来訪を許可する指令を出力するカード情報対応型来訪許可指令部とを設けている。
【発明の効果】
【０００７】
本発明の来訪者受付システムは、来訪予定者用端末から受け付けられた来訪用カードのカード情報を来訪者認証機関に送信し、来訪者認証機関におけるカード情報の認証結果が来訪予定者の正当性を示す場合、来訪予定者用端末から送信された予約用識別情報と来訪予約関連情報記憶部に格納されている予約用識別情報とを照合し、照合が一致した予約用識別情報に対応付けられている来訪予約条件に基づいて、来訪予定者の来訪用カードを用いた来訪を許可する指令を出力する。このため、来訪者の受付を効率的に行うことができる。
【発明を実施するための最良の形態】
【０００８】
実施の形態１．
図１は、本発明の実施の形態１に係る来訪者受付システムを示すブロック図である。図１において、来訪予約装置１は、インターネット等のネットワーク２を介して、来訪予定者認証装置３および各来訪予定者用端末４ａ，４ｂにそれぞれ接続されている。各来訪予定者用端末４ａ，４ｂには、クレジットカード（来訪用カード）６のカード読取装置５がそれぞれ接続されている。
来訪予約装置１には、解錠制御装置７が接続されている。解錠制御装置７は、複数の来訪用カードリーダ８ａ〜８ｃ、および複数の電気錠９ａ〜９ｃにそれぞれ接続されている。以下、これら来訪予約装置１、来訪予定者認証装置３、来訪予定者用端末４ａ，４ｂ、および解錠制御装置７について順を追って説明する。
【０００９】
来訪予約装置１は、例えば所定の企業内に設置され、来訪日等の来訪予約条件の登録を事前に行う。この来訪予約装置１は、予約装置側通信部１１、来訪予約関連情報記憶部１２、およびこれらの動作を制御する予約装置側処理部（ＣＰＵ）１３を有している。通信部１１は、入出力インターフェースであり、ネットワーク２および解錠制御装置７にそれぞれ接続されている。
【００１０】
来訪予約関連情報記憶部１２は、例えばメモリである。来訪予約関連情報記憶部１２には、来訪予約条件と予約用識別情報との対応付けが予め登録されている。「来訪予約条件」は、事前に予約されている来訪の条件であり、例えば、来訪予約装置１が設置されている企業の社員とその企業の顧客（来訪予定者）との間で電話連絡により事前に取り決められた条件が該当する。この来訪予約条件には、例えば、来訪日、来訪場所、来訪者数等が含まれている。
【００１１】
「予約用識別情報」は、上述した来訪予約条件を識別するための情報であり、例えば予約番号が該当する。この予約用識別情報は、来訪前、来訪予定者に例えばメールで予め付与しておく。
【００１２】
処理部１３は、カード情報受付部１３１、カード情報送信部１３２、認証結果対応処理部１３３、予約用識別情報受付部１３４、予約用識別情報照合部１３５、およびカード情報対応型来訪許可指令部１３６を含んでいる。これら各部１３１〜１３６の機能は、次のとおりである。
【００１３】
カード情報受付部１３１は、クレジットカード６に記憶されているカード情報（例えば、クレジットカード番号、クレジットカード６の所有者名等）を受け付ける。カード情報送信部１３２は、カード情報を来訪予定者認証装置３に送信する。認証結果対応処理部１３３は、カード情報の認証結果を来訪予定者認証装置３から受け付ける。予約用識別情報受付部１３４は、来訪予定者用端末４ａ，４ｂから予約用識別情報を受け付ける。予約用識別情報照合部１３５は、予約用識別情報受付部１３４により受け付けられた予約用識別情報の照合を行う。カード情報対応型来訪許可指令部１３６は、来訪予定者のクレジットカード６を用いた来訪を許可する指令を出力する。
【００１４】
来訪予定者認証装置３は、クレジットカード６の認証機関（来訪予定者認証機関）に設置され、クレジットカード６に記憶されているカード情報の認証を行う。この来訪予定者認証装置３は、入出力インターフェース等の認証装置側通信部３１、メモリ等のカード情報記憶部３２、およびこれらの動作を制御する認証装置側処理部３３を有している。カード情報記憶部３２には、クレジットカード６のカード情報が予め格納されている。処理部３３は、例えばＣＰＵである。この処理部３３は、カード情報の認証を行う認証部３３１を含んでいる。
【００１５】
各来訪予定者用端末４ａ，４ｂには、例えばパソコンが用いられる。この各来訪予定者用端末４ａ，４ｂは、来訪予約装置１が設置されている企業の取引先等に設置され、その取引先等の者により利用される。各来訪予定者用端末４ａ，４ｂには、通信インターフェース、キーボード、マウス、メモリ、およびＣＰＵが装備されている。なお、来訪予定者用端末４ａのメモリには、来訪予約装置１から例えばメールで付与された予約用識別情報が格納されている。
【００１６】
解錠制御装置７は、来訪先に設置されている各来訪用カードリーダ８ａ，８ｂ，８ｃおよび各電気錠９ａ，９ｂ，９ｃの制御を行う。つまり、解錠制御装置７は、来訪先となる建物の入館や、その建物内の事務室等の入室を管理する。解錠制御装置７は、通信インターフェース等の制御装置側通信部７１、メモリ等の制御装置側記憶部７２、およびこれらを制御する制御装置側処理部７３を有している。通信部７１には、各来訪用カードリーダ８ａ，８ｂ，８ｃおよび各電気錠９ａ，９ｂ，９ｃがそれぞれ接続されている。処理部７３は、例えばＣＰＵである。この処理部７３は、カード情報の照合を行うカード情報照合部７３１、および、来訪者の入室を許可する指令を出力するカード情報対応型入室許可指令部７３２を含んでいる。
【００１７】
ここで、来訪用カードリーダ８ａ，８ｂは、図２に示すように、例えば企業の事務室入口の廊下側に設けられている。
【００１８】
つぎに、来訪予約装置１の動作について図３に基づいて説明する。図３は、来訪予約装置１の動作を示すフローチャートである。
例えば、来訪の予約を既に行っている一人の顧客が来訪予定者である場合、その来訪予定者が、来訪予定者用端末４ａを操作して、カード読取装置５により読み込ませた自己のクレジットカード６のカード情報をネットワーク２を介して来訪予約装置１に送信させる。この送信を受けて、来訪予約装置１のカード情報受付部１３１は、来訪予定者用端末４ａからのカード情報を受信する（Ｓ１０１）。
【００１９】
続いて、カード情報送信部１３２は、カード情報受付部１３１により受信されたカード情報をネットワーク２を介して来訪予定者認証装置３に送信する（Ｓ１０２）。来訪予定者認証装置３では、認証部３３１が、カード情報送信部１３２により送信されたカード情報とカード情報記憶部１２のカード情報とに基づいて来訪予定者の認証を行い、その結果を来訪予約装置１に送信する。ここでは、認証部３３１は、両者のカード情報が一致した旨、即ち来訪予定者の正当性を示す認証結果を来訪予約装置１に送信する。
【００２０】
すると、来訪予約装置１の認証結果対応処理部１３３は、来訪予定者認証装置３から送信された認証結果をネットワーク６を介して受信する（Ｓ１０３）。そして、認証結果対応処理部１３３は、認証結果に基づいて来訪予定者の正当性を判断する（Ｓ１０４）。
【００２１】
そして、認証結果対応処理部１３３は、来訪予定者の不当性が認証結果に示されていた場合、来訪予定者の不当性を示す旨の情報を来訪予定者用端末４ａに送信し（Ｓ１０５）、来訪予約装置１における所定の処理が終了する。
他方、来訪予定者の正当性が認証結果に示されていた場合、認証結果対応処理部１３３は、正当性が示された来訪予定者に予め付与されている予約用識別情報の送信の要求を来訪予定者用端末４ａに行う（Ｓ１０６）。
【００２２】
予約用識別情報の送信の要求を受けて、来訪予定者が、来訪予定者用端末４ａを操作して、来訪予定者用端末４ａのメモリ上に予め登録されている来訪予定者の予約用識別情報を来訪予約装置１に送信する。すると、来訪予約装置１の予約用識別情報受付部１３４は、来訪予定者用端末４ａから送信された予約用識別情報をネットワーク６を介して受信する（Ｓ１０７）。
【００２３】
予約用識別情報照合部１３５は、予約用識別情報受付部１３４により受信された予約用識別情報が、来訪予約関連情報記憶部１２に格納されている予約用識別情報と一致するかどうかを照合する（Ｓ１０８）。
【００２４】
そして、予約用識別情報照合部１３５における照合が不一致であった場合、カード情報対応型来訪許可指令部１３６が来訪を許可する指令を出力することなく、来訪予約装置１における所定の処理が終了することとなる。
他方、カード情報対応型来訪許可指令部１３６は、予約用識別情報照合部１３５における照合が一致した場合、照合が一致した予約用識別情報に対応付けられている来訪予約条件に基づいて、来訪予定者のクレジットカード６を用いた来訪を許可する指令を解錠制御装置７に出力する（Ｓ１０９）。具体的には、カード情報対応型来訪許可指令部１３６は、来訪を許可する指令を出力するに際し、照合が一致した予約用識別情報を予め付与している来訪予定者のカード情報と、その予約用識別情報に対応付けられた来訪予約条件とを解錠制御装置７に出力する。
【００２５】
カード情報対応型来訪許可指令部１３６からの出力を受けて、解錠制御装置７では、カード情報対応型来訪許可指令部１３６により出力された来訪予定者のカード情報と来訪予約条件との対応付けが記憶部７２に登録されることとなる。
【００２６】
来訪日当日、上述した来訪予定者（ここでは「来訪者」となる。）が、自己のクレジットカード６を来訪先に持参し、そのクレジットカード６を来訪先に設置されている来訪用カードリーダ８ａに通す。すると、解錠制御装置７のカード情報照合部７３１は、来訪用カードリーダ８ａにより読み取られたクレジットカード６のカード情報と、カード情報対応型来訪許可指令部１３６により許可された来訪予定者のクレジットカード６に記憶されているカード情報とを照合する。
【００２７】
カード情報照合部７３１における照合の結果、両者のカード情報が一致した場合、カード情報対応型入室許可指令部７３２は、そのカード情報に対応付けられている来訪予約条件（例えば、来訪場所が事務室等）に基づいて、来訪者の入室を許可する指令（扉の開錠信号）を電気錠９ａに出力する。これにより、来訪者が、来訪先の受付で所定の手続きを行うことなく、例えば事務室等に入室することができる。
【００２８】
なお、カード情報照合部７３１における照合において両者のカード情報が不一致であった場合、カード情報対応型入室許可指令部７３２は、来訪者の入室を許可する指令を出力しないため、来訪者は、例えば事務室等に入室することができないこととなる。
【００２９】
このように、実施の形態１によると、来訪予約装置１では、来訪予定者用端末４ａから送信されたクレジットカード６のカード情報の認証結果が来訪予定者の正当性を示す場合、来訪予定者用端末４ａから送信された予約用識別情報が受け付けられる。そして、その予約用識別情報が予め登録されている予約用識別情報と一致すると、一致した予約用識別情報に対応付けられている来訪予約条件に基づき、来訪予定者のクレジットカード６を用いた来訪を許可する指令が来訪先の解錠制御装置７に出力される。このため、顧客等の来訪予定者は、来訪時、来訪先の守衛室等で所定の受付手続きを行うことなく、自己のクレジットカード６を持参するだけで直接、来訪の許可を得ることが可能となる。したがって、来訪者の受付業務の手間を軽減することが可能となり、来訪者の受付を効率的に行うことが可能となる。
【００３０】
しかも、クレジットカード６の認証機関を利用して来訪予定者の認証を行うことが可能となるので、クレジットカード６の不正使用を回避することが可能となる。また、クレジットカード６を利用することにより、クレジットカード６を所持している顧客等の社外の者も来訪者受付システムを利用し易くなる。
【００３１】
さらに、来訪者受付システムの利用者は、事前に予約用識別情報が付与されている来訪予定者に制限されるので、第三者による無断の利用を妨げることが可能となる。
【００３２】
解錠制御装置７では、カード情報対応型来訪許可指令部１３６により許可された来訪予定者のクレジットカード６に記憶されているカード情報と、来訪者のクレジットカード６から読み取られたカード情報とが照合され、その照合が一致した場合、来訪者の入室を許可する指令が電気錠９ａに出力される。このため、来訪者は、クレジットカード６を持参することにより、例えば来訪先の事務室等に直接入室することが可能となる。
【００３３】
なお、実施の形態１において、来訪者数は一名の場合で説明したが、来訪者数が複数であってもよい。この場合、予約用識別情報をメール等で付与された来訪予定者が、他の来訪予定者にメール等でその予約用識別情報を通知する。そして、予約用識別情報の通知を受けた他の来訪予定者が、個々に来訪予約装置１にアクセスした後、自己のクレジットカード６を来訪用カードリーダに通すこととなる。つまり、来訪予約装置１、来訪予定者認証装置３、および解錠制御装置７は、来訪予定者ごとに、所定の処理を行うこととなる。
【００３４】
また、来訪用カードは、クレジットカード６の場合について説明したが、カード固有識別番号等のカード情報が記憶されているカードであれば、例えば、デビットカードであってもよい。
【００３５】
実施の形態２．
図４は、本発明の実施の形態２に係る来訪者受付システムを示すブロック図である。なお、上記実施の形態１と同様の部分については、同一符号を付して重複説明を適宜省略する。図４において、来訪予約装置１ａには、各来訪予定者用端末４ａ，４ｂがネットワーク２を介して接続されているとともに、解錠制御装置７ａが接続されている。各来訪予定者用端末４ａ，４ｂには、ＩＣカード（来訪用カード）１０のカード書込装置９がそれぞれ接続されている。ＩＣカード１０は、情報の書き込みが可能な汎用のカードである。以下、来訪予約装置１ａ、および解錠制御装置７ａについて詳述する。
【００３６】
来訪予約装置１ａの処理部１３には、予約用識別情報受付部１３４、予約用識別情報照合部１３５、暗証情報生成部１３７、暗証情報送信部１３８、および暗証情報対応型来訪許可指令部１３９が含まれている。暗証情報生成部１３７、暗証情報送信部１３８、および暗証情報対応型来訪許可指令部１３９の機能は次のとおりである。暗証情報生成部１３７は、来訪予定者が来訪の許可を事前に得ていることを証明するための暗証情報（例えば暗証番号等）を生成する。暗証情報送信部１３８は、暗証情報を来訪予定者用端末４ａ，４ｂに送信する。暗証情報対応型来訪許可指令部１３９は、ＩＣカード１０を用いた来訪を許可する指令を出力する。
【００３７】
解錠制御装置７ａの処理部７３には、ＩＣカード１０に書き込まれている暗証情報の照合を行う暗証情報照合部７３３、および、来訪者の入室を許可する指令を出力する暗証情報対応型入室許可部７３４が含まれている。
【００３８】
図５は、来訪予約装置１ａの動作を示すフローチャートである。
例えば、ある事業所に勤務している一人の社員が他の事業所への来訪の予約を行っている場合、その社員である来訪予定者が、来訪予定者用端末４ｂを操作して、来訪予約装置１ａにアクセスする。そして、来訪予定者用端末４ｂが、メモリ上に登録されている予約用識別情報を来訪予約装置１ａに送信する。すると、来訪予約装置１ａの予約用識別情報受付部１３４は、来訪予定者用端末４ｂから送信された予約用識別情報をネットワーク２を介して受信する（Ｓ１０７）。
【００３９】
予約用識別情報照合部１３５は、予約用識別情報受付部１３４により受信された予約用識別情報が来訪予約関連情報記憶部１２に予め格納されている予約用識別情報と一致するかどうかを照合する（Ｓ１０８）。
【００４０】
そして、予約用識別情報照合部１３５における照合が不一致の場合、来訪予約装置１ａにおける所定の処理が終了する。
他方、予約用識別情報照合部１３５における照合が一致した場合、暗証情報生成部１３７は、照合が一致した予約用識別情報に対応付けられている来訪予約条件（例えば、来訪者数が一名等）に基づいて、暗証情報を生成する（Ｓ２０１）。暗証情報生成部１３７により生成された暗証情報は、例えば、共通鍵（電子鍵）により暗号化された暗証番号である。
【００４１】
次に、暗証情報送信部１３８は、暗証情報生成部１３７により生成された暗証情報をネットワーク２を介して来訪予定者用端末４ｂに送信する（Ｓ２０２）。これにより、来訪予定者用端末４ｂを利用している来訪予定者は、カード書込装置９を利用して、来訪予約装置１ａから送信された暗証情報（例えば、共通鍵により暗号化された暗証番号）を自己のＩＣカード１０に書き込ませることが可能となる。
【００４２】
また、暗証情報対応型来訪許可指令部１３９は、暗証情報送信部１３８により送信された暗証情報が書き込まれているＩＣカード１０を用いた来訪を許可する指令を解錠制御装置７ａに出力する（Ｓ２０３）。具体的には、暗証情報対応型来訪許可指令部１３９は、来訪を許可する指令を出力するに際し、照合が一致した予約用識別情報に対応付けられている来訪予約条件、および、暗証情報生成部１３７により生成された暗証情報（例えば、暗証番号及び共通鍵を含む。）を関連付けて解錠制御装置７ａに出力する。
【００４３】
この出力を受けて、解錠制御装置７ａでは、暗証情報と来訪予約条件との対応付けが記憶部７２に登録されることとなる。
【００４４】
来訪時、上述した来訪予定者が、暗証情報（共通鍵により暗号化された暗証番号）が書き込まれているＩＣカード１０を来訪先に持参し、そのＩＣカード１０を来訪用カードリーダ８ａに通す。すると、解錠制御装置７ａの暗証情報照合部７３３は、来訪用カードリーダ８ａにより読み取られたＩＣカード１０の暗証情報と、暗証情報対応型来訪許可指令部１３９により出力された暗証情報（暗証番号及び共通鍵を含む）とを照合する。なお、暗証情報照合部７３３は、上述した両者の暗証番号を照合するに際し、共通鍵を用いて、暗号化されている暗証番号を復号化する。
【００４５】
次に、暗証情報対応型入室許可指令部７３４は、暗証情報照合部７３３における照合により両者の暗証情報（暗証番号）が一致した場合、その暗証情報に対応付けられている来訪予約条件（例えば、来訪場所が事務室等）に基づいて、来訪者の入室を許可する指令（扉の開錠信号）を電気錠９ａに出力する。これにより、来訪者が、所定の受付手続きを行うことなく、例えば事務室等に入室することができる。
【００４６】
そして、暗証情報対応型入室許可指令部７３４は、扉の開錠信号を電気錠９ａに出力した後、記憶部７２に格納されている暗証情報を変更する。つまり、暗証情報対応型入室許可指令部７３４は、暗証情報を一回しか利用できないようにする。これにより、第三者の不正な入室を回避することが可能となる。
【００４７】
なお、来訪者が来訪用カードリーダ８ａにＩＣカード１０を通すと、そのＩＣカード１０に書き込まれている暗証情報が他の情報に書き換えられるようになっている。これにより、ＩＣカード１０の悪用を回避することが可能となる。
【００４８】
このように、実施の形態２によると、来訪予約装置１ａでは、来訪予定者用端末４ｂから受け付けられた予約用識別情報が予め登録されている予約用識別情報と一致すると、暗証情報生成部１３７により生成された暗証情報が来訪予定者用端末４ｂに送信されるとともに、暗証情報が書き込まれているＩＣカード１０を用いた来訪を許可する指令が解錠制御装置７ａに出力される。このため、ある事業所に勤務している社員等の来訪予定者は、来訪時、来訪先である他の事業所の守衛室等で所定の受付手続きを行うことなく、ＩＣカード１０を持参するだけで直接、来訪の許可を得ることが可能となる。したがって、来訪者の受付を効率的に行うことが可能となる。
【００４９】
しかも、ＩＣカード１０は、暗証情報を書き込むことが可能な汎用のカードなので、ＩＣカード１０の互換性が高くなる効果がある。また、来訪予定者には、共通鍵により暗号化された暗証情報が割り当てられるので、第三者による不正な使用を防止することが可能となる。
【００５０】
また、解錠制御装置７ａでは、暗証情報対応型入室許可指令部７３４により来訪が許可されたＩＣカード１０の暗証情報と、来訪者のＩＣカード１０から読み取られた暗証情報とが照合され、その照合が一致した場合、来訪者の入室を許可する指令が電気錠９ａに出力される。このため、例えば、ある事業所に勤務している社員等の来訪者は、来訪予約装置１ａにより割り当てられた暗証情報を書き込ませたＩＣカード１０を持参することにより、例えば他の事業所の事務室等に直接入室することが可能となる。
【００５１】
なお、実施の形態２において、来訪者数は一名の場合で説明したが、来訪者数が複数であってもよい。この場合、来訪予約装置１ａに最初にアクセスした来訪予定者が、来訪予約装置１ａにより生成された来訪者数分の暗証情報を受け取り、各自の暗証情報を他の来訪予定者にメール等で通知する。そして、他の来訪予定者が、個々に来訪予約装置１ａにアクセスした後、自己の暗証情報を書き込ませたＩＣカード１０を持参し、そのＩＣカード１０を来訪用カードリーダに通すこととなる。つまり、来訪予約装置１ａ、および解錠制御装置７ａは、来訪予定者ごとに、所定の処理を行うこととなる。
【００５２】
また、来訪用カードは、ＩＣカード１０の場合について説明したが、データの書き込みが可能なカードであれば、例えば、磁気カードであってもよい。
【図面の簡単な説明】
【００５３】
【図１】本発明の実施の形態１に係る来訪者受付システムを示すブロック図である。
【図２】図１の来訪用カードリーダの取付場所を示す説明図である。
【図３】図１の来訪予約装置の動作を示すフローチャートである。
【図４】本発明の実施の形態２に係る来訪者受付システムを示すブロック図である。
【図５】図４の来訪予約装置の動作を示すフローチャートである。
【符号の説明】
【００５４】
１，１ａ  来訪予約装置、３  来訪予定者認証装置、４ａ，４ｂ  来訪予定者用端末、６  クレジットカード、７，７ａ  解錠制御装置、１０  ＩＣカード、１３１  カード情報受付部、１３２  カード情報送信部、１３３  認証結果対応処理部、１３４  予約用識別情報受付部、１３５  予約用識別情報照合部、１３６  カード情報対応型来訪許可指令部、１３７  暗証情報生成部、１３８  暗証情報送信部、１３９  暗証情報対応型来訪許可指令部、７３１  カード情報照合部、７３２  カード情報対応型入室許可指令部、７３３  暗証情報照合部、７３４  暗証情報対応型入室許可指令部。
【図１】
2005149362.tif 000003
【図２】
2005149362.tif 000004
【図３】
2005149362.tif 000005
【図４】
2005149362.tif 000006
【図５】
2005149362.tif 000007